(57)【要約】【課題】蓋体によって閉塞された筐体内に収容された構造物が蓋体に向けて移動したとしても、当該構造物によるその移動による勢いによって蓋体の閉塞状態が解かれ、当該構造物が筐体の外へ飛び出してしまうことを抑制することができる収容装置等を提供する。【解決手段】収容装置は、構造物を収容する収容空間が形成された筐体と、筐体に取り付けられ、当該筐体の前記収容空間の入口を開放状態及び閉塞状態にする蓋体と、蓋体を前記閉塞状態にて筐体に対して固定する固定機構とを備え、前記構造物は、蓋体によって前記閉塞状態とされた前記収容空間内にて、第１の位置と、前記第１の位置よりも前記蓋体に近い第２の位置で非固定の状態で収容され、前記固定機構は、前記構造物が前記第１の位置から前記第２の位置に移動した場合に、当該構造物が前記第１の位置に止まっているときよりも蓋体に対する固定が強まる。【選択図】図１４
2014085388.tif 000002
【特許請求の範囲】
【請求項１】
構造物を収容する収容空間が形成された筐体と、
前記筐体に取り付けられ、当該筐体の前記収容空間の入口を開放状態及び閉塞状態にする蓋体と、
前記蓋体を前記閉塞状態にて前記筐体に対して固定する固定機構と
を備え、
前記構造物は、前記蓋体によって前記閉塞状態とされた前記収容空間内にて、第１の位置と、前記第１の位置よりも前記蓋体に近い第２の位置で非固定の状態で収容され、
前記固定機構は、前記構造物が前記第１の位置から前記第２の位置に移動した場合に、当該構造物が前記第１の位置に止まっているときよりも前記蓋体に対する固定が強まることを特徴とする収容装置。
【請求項２】
前記固定機構は、前記構造物が前記第１の位置から前記第２の位置に移動した場合に、当該構造物が前記蓋体又は前記筐体の一部に接触することにより固定が強まることを特徴とする請求項１に記載の収容装置。
【請求項３】
前記蓋体は、前記収容空間の入口を閉塞状態としている状態で第１方向に移動可能に構成されており、
前記固定機構は、前記構造物が前記第１の位置から前記第２の位置に移動する際の運動量を、前記蓋体の前記第１方向への移動に必要な運動量へと変換することにより固定が強まることを特徴とする請求項１又は２に記載の収容装置。
【請求項４】
前記固定機構は、前記蓋体から延びて形成された屈曲部と、前記筐体に接続されるとともに前記屈曲部に対向して設けられ当該屈曲部に接触して当該屈曲部を保持する保持部とを有して構成されており、前記蓋体が前記第１方向に移動した場合、前記保持部と前記屈曲部とが対向する領域の面積が増す方向に変位することを特徴とする請求項３に記載の収容装置。
【請求項５】
前記蓋体の前記構造物に対向する側又は前記構造物の前記蓋体に対向する側には、前記構造物が前記第１の位置から前記第２の位置に移動した場合に接触するとともに当該構造体の移動方向及び前記蓋体の第１方向のいずれとも交差する方向に傾斜している傾斜面が設けられており、
前記固定機構は、前記傾斜面が前記構造体と前記蓋体との接触するときの力を変換して、前記蓋体を前記構造体の移動方向とは異なる前記第１方向に移動させることにより、強度が強まることを特徴とする請求項４に記載の収容装置。
【請求項６】
前記固定機構は、前記蓋体から延びて形成された屈曲部と、前記筐体に接続されるとともに前記屈曲部に対向して設けられ当該屈曲部に接触して当該屈曲部を保持する保持部とを有して構成されており、前記構造物が前記第１の位置にあるときに前記筐体と前記構造物との間に形成される空間を前記屈曲部が通過することにより前記蓋体が前記筐体に対して開放されるものであり、
当該固定機構は、前記構造物の前記第１の位置から前記第２の位置への移動により当該構造物が前記空間の一部を塞ぐことにより前記筐体に対する固定が強まることを特徴とする請求項１又は２に記載の収容装置。
【請求項７】
請求項１乃至６のいずれかに記載の収容装置を備えていることを特徴とする画像形成装置。
【請求項８】
前記構造物は、現像剤を収納している現像剤収納容器である請求項７に記載の画像形成装置。
【発明の詳細な説明】
【技術分野】
【０００１】
この発明は、収容装置及び画像形成装置に関するものである。
【背景技術】
【０００２】
従来、以下の蓋体の開閉装置とその開閉装置を備えた画像形成装置が知られている（特許文献１）。
すなわち、蓋体の開閉装置は、機器本体に形成された開口を開放状態及び閉塞状態とすべく一端部が機器本体に回動軸を介して取り付けられると共に、その回動軸で取り付けられた側と反対側である他端部の機器本体側に係合部を配置した蓋体と、機器本体に配置され蓋体の係合部が押圧されることにより蓋体と機器本体とをロック状態及びロック解除状態にするプッシュラッチ装置と、係合部がプッシュラッチ装置に係合する前に蓋体に当接して蓋体の回動を禁止する回転規制部とを備え、
前記係合部が配置された蓋体の他端部に機器本体側に向け変形可能な弾性変形部を形成し、前記蓋体が前記回動規制部で回動が規制された状態で前記弾性変形部を押圧したとき前記係合部が前記プッシュラッチ装置を押圧し、前記蓋体を機器本体に対してロック状態又はロック解除状態にするように構成した開閉装置である。
【０００３】
特許文献１には、この開閉装置及び画像形成装置によれば、蓋体への接触による意図しない蓋体の開放が防止され、ひいては画像形成装置等の電子機器の動作が停止することを防止できることが示されている。
【先行技術文献】
【特許文献】
【０００４】
【特許文献１】特開２０１０−２３２２９６号公報
【発明の概要】
【発明が解決しようとする課題】
【０００５】
この発明は、蓋体によって閉塞された筐体内に収容された構造物が蓋体に向けて移動したとしても、当該構造物によるその移動による勢いによって蓋体の閉塞状態が解かれ、当該構造物が筐体の外へ飛び出してしまうことを抑制することができる収容装置と、その収容装置を備えた画像形成装置を提供するものである。
【課題を解決するための手段】
【０００６】
この発明（Ａ１）の収容装置は、
構造物を収容する収容空間が形成された筐体と、
前記筐体に取り付けられ、当該筐体の前記収容空間の入口を開放状態及び閉塞状態にする蓋体と、
前記蓋体を前記閉塞状態にて前記筐体に対して固定する固定機構と
を備え、
前記構造物は、前記蓋体によって前記閉塞状態とされた前記収容空間内にて、第１の位置と、前記第１の位置よりも前記蓋体に近い第２の位置で非固定の状態で収容され、
前記固定機構は、前記構造物が前記第１の位置から前記第２の位置に移動した場合に、当該構造物が前記第１の位置に止まっているときよりも前記蓋体に対する固定が強まることを特徴とするものである。
【０００７】
この発明（Ａ２）の収容装置は、上記発明Ａ１の収容装置において、
前記固定機構は、前記構造物が前記第１の位置から前記第２の位置に移動した場合に、当該構造物が前記蓋体又は前記筐体の一部に接触することにより固定が強まるものである。
【０００８】
この発明（Ａ３）の収容装置は、上記発明Ａ１又はＡ２の収容装置において、
前記蓋体は、前記収容空間の入口を閉塞状態としている状態で第１方向に移動可能に構成されており、
前記固定機構は、前記構造物が前記第１の位置から前記第２の位置に移動する際の運動量を、前記蓋体の前記第１方向への移動に必要な運動量へと変換することにより固定が強まるものである。
【０００９】
この発明（Ａ４）の収容装置は、上記発明Ａ３の収容装置において、
前記固定機構は、前記蓋体から延びて形成された屈曲部と、前記筐体に接続されるとともに前記屈曲部に対向して設けられ当該屈曲部に接触して当該屈曲部を保持する保持部とを有して構成されており、前記蓋体が前記第１方向に移動した場合、前記保持部と前記屈曲部とが対向する領域の面積が増す方向に変位するものである。
【００１０】
この発明（Ａ５）の収容装置は、上記発明Ａ４の収容装置において、
前記蓋体の前記構造物に対向する側又は前記構造物の前記蓋体に対向する側には、前記構造物が前記第１の位置から前記第２の位置に移動した場合に接触するとともに当該構造体の移動方向及び前記蓋体の第１方向のいずれとも交差する方向に傾斜している傾斜面が設けられており、
前記固定機構は、前記傾斜面が前記構造体と前記蓋体との接触するときの力を変換して、前記蓋体を前記構造体の移動方向とは異なる前記第１方向に移動させることにより、強度が強まるものである。
【００１１】
この発明（Ａ６）の収容装置は、上記発明Ａ３の収容装置において、
前記固定機構は、前記蓋体から延びて形成された屈曲部と、前記筐体に接続されるとともに前記屈曲部に対向して設けられ当該屈曲部に接触して当該屈曲部を保持する保持部とを有して構成されており、前記構造物が前記第１の位置にあるときに前記筐体と前記構造物との間に形成される空間を前記屈曲部が通過することにより前記蓋体が前記筐体に対して開放されるものであり、
当該固定機構は、前記構造物の前記第１の位置から前記第２の位置への移動により当該構造物が前記空間の一部を塞ぐことにより前記筐体に対する固定が強まるものである。
【００１２】
また、この発明（Ｂ１）の画像形成装置は、上記発明Ａ１乃至Ａ６のいずれかの収容装置を備えていることを特徴とするものである。
【００１３】
この発明（Ｂ２）の画像形成装置は、上記発明Ｂ１の画像形成装置において、前記構造物が、現像剤を収納している現像剤収納容器であるものである。
【発明の効果】
【００１４】
上記発明Ａ１からＡ６の収容装置と上記発明Ｂ１及びＢ２の画像形成装置によれば、蓋体によって閉塞された筐体内に収容された構造物が蓋体に向けて移動したとしても、当該構造物によるその移動による勢いによって蓋体の閉塞状態が解かれ、当該構造物が筐体の外へ飛び出してしまうことを抑制することができる。
【図面の簡単な説明】
【００１５】
【図１】実施の形態１等に係る収容装置を備える画像形成装置の外観を示す斜視図である。
【図２】図１の画像形成装置のＱ−Ｑ線に沿う概略断面図である。
【図３】図１の画像形成装置における前面カバーを開けた状態を示す斜視図である。
【図４】図３の画像形成装置における収容装置の開閉カバーを開けた状態を示す斜視図である。
【図５】収容装置の一部と収容する現像剤収納容器とを示す斜視図である。
【図６】図５の収容装置に現像剤収納容器を収容するとともに開閉カバーを開けているときの状態の一部を示す側面図である。
【図７】図６の収容装置及び現像剤収納容器の状態を断面として示す（図８ａのＱ−Ｑ線に沿う）断面図である。
【図８】（ａ）は収容空間に収容した現像剤収納容器を収容装置に対して固定していない状態（被固定状態）を示す説明図、（ｂ）は収容空間に収容した現像剤収納容器を収容装置に対して固定したときの状態（固定状態）を示す説明図である。
【図９】実施の形態１に係る収容装置の主な構成部分を示す断面図である。
【図１０】図９の収容装置の主な構成部分を別な部分で切断して示す断面図である。
【図１１】（ａ）は図９の収容装置の平常時における固定機構の引っ掛けた状態を拡大して示す説明図、（ｂ）は図９の収容装置の現像剤収納容器移動時における固定機構の引っ掛けた状態（引っ掛け量が増した状態）を拡大して示す説明図である。
【図１２】（ａ）は図１０の収容装置の平常時における固定機構の引っ掛けた状態を拡大して示す説明図、（ｂ）は図１０の収容装置の現像剤収納容器移動時における固定機構の引っ掛けた状態（引っ掛け量が増した状態）を拡大して示す説明図である。
【図１３】（ａ）は図９の収容装置において現像剤収納容器が入口側に少し移動して変位誘発部に接触した時点での状態を示す説明図、（ｂ）は図９の収容装置において現像剤収納容器が入口側にさらに移動した時点での状態を示す説明図である。
【図１４】（ａ）は図１０の収容装置において現像剤収納容器が入口側に少し移動した時点での状態を示す説明図、（ｂ）は図１０の収容装置において現像剤収納容器が入口側にさらに移動した時点での状態を示す説明図である。
【図１５】実施の形態２に係る収容装置の要部を示す斜視図である。
【図１６】図１５の収容装置のＱ−Ｑ線に沿う概略断面図である。
【図１７】図１６の収容装置において開閉カバーを閉じたときの状態を示す概略断面図である。
【図１８】図１５の収容装置における固定機構の構成を拡大して示す一部断面説明図である。
【図１９】図１６の収容装置において開閉カバーを閉じるときの途中段階の一状態を示す一部断面説明図である。
【図２０】図１６の収容装置において開閉カバーを開けるときの途中段階の一状態を示す一部断面説明図である。
【図２１】図１５の収容装置において現像剤収納容器が移動した時における固定機構の状態を拡大して示す一部断面説明図である。
【図２２】図２１の収容装置において開閉カバーを開けるときの現像剤収納容器を押し戻すために発生する力の状態例を拡大して示す一部断面説明図である。
【図２３】図２２の収容装置において開閉カバーをさらに開けるときの途中段階の一状態（固定機構の引っ掛け状態が解除されるときの状態）を拡大して示す一部断面説明図である。
【図２４】図２３の収容装置において固定機構の引っ掛け状態が解除されて開閉カバーが開けられたときの状態を拡大して示す一部断面説明図である。
【図２５】実施の形態３に係る収容装置の要部を示す断面図である。
【図２６】（ａ）は図２６の収容装置において現像剤収納容器が入口側に少し移動して変位誘発部に接触した時点での状態を示す説明図、（ｂ）は図２６の収容装置において現像剤収納容器が入口側にさらに移動した時点での状態を示す説明図である。
【発明を実施するための形態】
【００１６】
以下、この発明を実施するための形態（以下、単に「実施の形態」という。）について図面を参照しながら説明する。
【００１７】
ここで、実施の形態の説明に先立って、前記課題を解決するための手段等で用いる用語等の一部について説明する。「蓋体」とは、容器や箱などの筐体における口や開口部を塞ぐ機能を有するすべてのものをさす。「非固定の状態で収容される」とは、構造物が筐体の収容空間内で固定されておらず自由移動が可能になっている状態をいい、具体的には、例えば筐体外部から衝撃を受けることや筐体自体が傾けられるなどの要因により構造物が収容空間内で自由に移動し得る状態で収容されている形態が挙げられる。「蓋体に対する固定が強まる」とは、蓋体が筐体に対して固定される際の固定の力が大きくなることをさし、これは例えば外部からの衝撃に対する耐力などにより換算することができる。「運動量を・・・交換する」とは、構造物が移動する際の運動量を別の対象物の移動に用いる状態を示すものであり、これは例えば物体どうしの衝突などの際に発生する現象にも相当する。
【００１８】
［実施の形態１］
図１から図５は、実施の形態１に係る収容装置を備えた画像形成装置を示すものである。図１はその画像形成装置の外観を示し、図２はその画像形成装置の内部の構成を示し、図３は図１の画像形成装置の正面カバーを開けたときの外観を示し、図４は図３の画像形成装置における収容装置の入口カバーを開けたときの外観を示し、図５は収容装置における収容空間の入口（枠部）と収容装置に収容するカートリッジ式の現像剤収納容器とを示している。
【００１９】
＜画像形成装置の全体の構成＞
画像形成装置１は、支持構造材、外装材等で構成される筐体１０を有している。筐体１０は、図１や図２等に示されるように、その全体が箱状の外観を有し、内部に所要の空間が形成された形態になっている。また、筐体１０は、その上面部１０ａに画像が形成された後に排出される記録用紙１９を収容する排出収容部１２が形成されている。排出収容部１２は、例えば傾斜する斜面として形成されている。また、筐体１０の排出収容部１１の近くの部位には、画像が形成された記録用紙１９が排出収容部１２にむけて排出される用紙排出口１３が形成されている。実施の形態１では、筐体１０の上面部１０ａに、支持軸１４ａを支点として揺動して排出収容部１２及び用紙排出口１３を開放した状態及び隠蔽した状態にする（延長排出トレイを兼ねた）防塵保護カバー１４を設置している。さらに、筐体１０の正面部１０ｂには、支持軸１５ａを支点として揺動して開閉する手差しトレイを兼ねた正面カバー１５が設けられている。図１等における符号１６は、筐体の上面部１０ａに配置された操作部を示す。操作部１６は、画像形成装置１の設定、入力等を行うボタン、ランプや、設定内容等の情報を表示する表示パネル等で構成されている。
【００２０】
また、画像形成装置１は、プリンタとして構成されている。このプリンタとしての画像形成装置１は、図２に示されるように、筐体１０の内部空間に、現像剤としてのトナーで構成されるトナー像を形成して被記録材の一例としての記録用紙１９に転写する作像ユニット２と、作像ユニット２に供給する記録用紙１９を収容するとともに搬送する給紙装置３と、作像ユニット２で形成されたトナー像を記録用紙１９に定着する定着装置４等が設置されている。
【００２１】
作像ユニット２は、例えば公知の電子写真方式を利用して構成されるものであり、矢印Ａで示す方向（図２において反時計回りの方向）に回転駆動する感光ドラム２１と、感光ドラム２１の像形成領域となる外周面を所要の電位に帯電させる帯電装置２２と、帯電後の感光ドラム２１の外周面に所要の画像情報（信号）に基づく光を照射して電位差のある静電潜像を形成する露光装置２３と、その静電潜像をトナーにより現像してトナー像にする現像装置２４と、そのトナー像を感光ドラム２１から記録用紙１９に転写させる転写装置２５と、転写後の感光ドラム２１の表面に残留するトナー等を除去して清掃する清掃装置２６とで主に構成されている。
【００２２】
感光ドラム２１は、接地された円筒状又は円柱状の導電性基材に感光層等の所要の層を積層したものであり、図示しない駆動装置からの回転動力を受けて回転するようになっている。帯電装置２２としては、例えば感光ドラム１１の外周面に接触して回転する帯電ロール等の接触式のものが適用されており、その帯電ロールに図示しない電源部から所要の帯電用電圧が供給されるようになっている。露光装置２３としては、例えば発光ダイオード、光学部品等を用いて構成されるＬＥＤアレイが適用されており、画像形成装置１に外部から所要の手段で入力される画像情報が所要の画像処理等を施された後に送信されて動作するようになっている。
【００２３】
現像装置２４としては、トナー及びキャリア粒子を含む二成分現像剤を使用する現像装置が適用されている。また、現像装置２４は、二成分現像剤を収容する容器本体内に、二成分現像剤を撹拌搬送するように駆動する部材や、二成分現像剤を感光ドラム２１と向き合う現像域を通過させるように搬送させる現像ロール等が配置されている。転写装置２５としては、例えば感光ドラム１１の外周面に接触して回転する転写ロール等の接触式のものが適用されており、その転写ロールに図示しない電源部から所要の転写用電圧が供給されるようになっている。清掃装置２６は、感光ドラム１１の外周面に接触して残留トナー等を掻きとって除去する清掃板２６ａ、除去した残留トナー等を収容する収容器２６ｂ等で構成されるものが適用されている。
【００２４】
給紙装置３は、画像の形成に使用する所要のサイズ、種類等からなる複数枚の記録用紙１９を積み重ねた状態で収容する、トレイ形式、カセット形式等の用紙収容体３１と、その用紙収容体３１に収容される用紙１９を１枚ずつ搬送路にむけて送り出す送出装置３２とを備え、給紙の時期が到来すると、記録用紙１９を１枚ずつ送り出すようになっている。用紙収容体３１は、例えば筐体１０に対してスライド移動させて着脱自在に取り付けられており、記録用紙１９の補給作業ができるように構成されている。送出装置３２は、例えば用紙送出ロール３２ａ、用紙制止パット３２ｂ等で構成されている。
【００２５】
定着装置４は、記録用紙１９が通過する導入口及び排出口が形成された筐体４０の内部に、表面温度が加熱手段により所要の温度に加熱されて保持されるとともに所要の方向に回転駆動するロール形態、ベルト形態等の加熱回転体４１と、この加熱回転体４１の軸方向にほぼ沿うように所要の圧力で接触して従動回転するロール形態、ベルト形態等の加圧回転体４２とが配置されている。この定着装置４は、その加熱回転体４１と加圧回転体４２とが接触して形成される接触部（定着処理部）に、トナー像が転写された後の記録用紙１９を導入して通過させることで定着処理（加熱及び加圧）を行うようになっている。
【００２６】
この画像形成装置１においては、筐体１０の給紙装置３と作像ユニット２の転写位置（感光ドラム１１と転写装置２５の間）との間になる部位に、給紙装置３から送り出される記録用紙１９をその転写位置にむけて搬送する給紙路３３が設けられている。給紙路３３は、用紙搬送ガイド材、用紙搬送ロール対３４等で形成されている。また、給紙路３３における用紙搬送ロール対３４は、記録用紙１９を作像ユニット２の転写位置へ送り込む時期を調整するロールとして構成されている。
【００２７】
また、筐体１０の定着装置４と作像ユニット２の転写位置との間になる部位には、作像ユニット２から送り出される転写後の記録用紙１９を定着装置４にむけて搬送する中間搬送路４３が設けられている。また、筐体１０の定着装置４と搬送筐体１０の用紙排出口１３との間になる部位には、定着装置４から送り出される定着後の記録用紙１９を排出口１３にむけて搬送する排出路４４が設けられている。排出路４４は、用紙搬送ガイド材、用紙排出ロール対４５等で形成されている。
【００２８】
さらに、筐体１０の排出路４４と給紙路３３との間になる部位には、片面に画像が形成されて排出路４４を通して排出される記録用紙１９をその表裏面を反転させた状態で給紙路３３に再送する反転再送路４６が設けられている。反転再送路４６は、用紙搬送ガイド材、搬送先切換え爪４７、用紙搬送ロール対４８等で形成されている。搬送先切換え爪４７は、支持軸４７ａを中心にして両矢印で示すように揺動して、排出路４４を排出ロール４５に挟まれて排出される途中の記録用紙１９の後方部を、排出ロール４５の逆回転により反転搬送路４６に送り込むように誘導するようになっている。
【００２９】
また、この画像形成装置１においては、作像ユニット２における現像装置２４に対し、現像剤収納容器９に収納されている現像剤のトナーを、トナー補給装置１７を介して所要の時期に所要の量だけ補給されるようになっている。現像剤収納容器９は、筐体１０の内部に設置された収容装置５に対して着脱自在に装着されるようになっている。収容装置５の詳細については後述する。
【００３０】
＜画像形成装置の基本的な動作＞
この画像形成装置１による画像形成は、次のようにして行われる。
【００３１】
画像形成装置１では、画像形成動作の開始指令を受けると、作像ユニット２において、矢印Ａで示す方向に回転始動する感光ドラム２１の外周面が帯電装置２２により所定の極性及び電位に帯電された後、その帯電された感光ドラム２１の外周面に対して露光装置２３から画像情報に基づく露光が行われて所要の電位からなる静電潜像が形成される。続いて、感光ドラム２１に形成された静電潜像が、現像装置２４を通過する際に、その現像装置２４（の現像ロール）から供給される所要の極性に帯電された状態のトナーにより現像されてトナー像として顕像化される。
【００３２】
次いで、感光ドラム２１上に形成されたトナー像は、感光ドラム２１の回転により転写装置２５と対向する転写位置まで搬送されると、この作像タイミングに合わせて給紙装置３から搬送路３３を通して供給される記録用紙１９に対して転写装置２５により静電的に転写される。この転写後の感光ドラム２１の外周面は、清掃装置２６で清掃される。
【００３３】
続いて、作像ユニット２においてトナー像が転写された記録用紙１９は、感光ドラム２１から剥離された後に中間給紙路４３を通して定着装置４に導入されるように搬送され、定着装置４における加熱回転体４１と加圧回転体４２との接触部を通過する際に加圧下で加熱され、これによりトナー像が溶融して記録用紙１９に定着される。この定着が終了した後の記録用紙１９は、その片面への画像形成動作の場合であれば、定着装置４から排出された後に排出路４４を通して筐体１０から排出されて最後に排出収容部１２に落下して収容される。
【００３４】
以上により、１枚の記録用紙１９の片面に対して１色のトナーで構成される単色画像が形成され、基本的な画像形成動作が終了する。複数枚の画像形成動作の指示がある場合には、上記した一連の動作がその枚数分だけ同様に繰り返されることになる。
【００３５】
＜収容装置の構成＞
次に、収容装置５について説明する。
【００３６】
収容装置５は、図２から図７等に示されるように、筐体１０の前面カバー１５を開けたときに露出する内装パネル１０ｃの片側の部位に、その片側の部位を含めて筐体１０の内部空間内に侵入した状態で設置されている。
【００３７】
はじめに、収容装置５に収容する現像剤収納容器９は、図５等に示されるように、一端部が開口した円筒状の本体部９１と、本体部９１の開口に嵌めてその開口を塞ぐ円盤状の蓋部９２とで構成されている。
【００３８】
本体部９１は、その下部面に現像剤のトナーを排出させる排出口９０ｂ（図７）が設けられている。また、本体部９１は、その外周面に排出口９０ｂを開閉するスライドシャッター９３が設けられているとともに、現像剤収納容器９等に関する必要な情報が記憶及び更新（書き込み）される管理メモリ素子９４が設けられている。さらに、本体部９１は、その外周面に収容完了時における位置を固定する位置固定突起９５（図８ａ）が形成されている。蓋部９２は、中央部が本体部９１側に窪んだ円盤形状であり、その中央部に使用者が使用時に手で把持して使用する把持突起９６が形成されている。
【００３９】
そして、収容装置５は、図２、図４等に示されるように、現像剤収納容器９を押し込み操作及び引き出し操作により移動させて着脱自在に収容する収容空間５１が形成された収容本体５０を備えている。
【００４０】
収容本体５０は、円筒状の収容空間５１が形成された円筒状の本体枠部５２と、その本体枠部５２の収容空間５１の入口５３がほぼ円形状の貫通孔として形成された入口枠部５４とで構成されている。本体枠部５２と入口枠部５４は、その本体枠部５２側の収容空間５１と入口枠部５４側の入口５３に相当する貫通孔とがほぼ連結した状態になるよう設置される。
【００４１】
本体枠部５２は、例えば、トナー補給装置１７の上部（トナー受入れ口）と連結させた状態で取り付けられている。また、本体枠部５２の収容空間５１の下部には、現像剤収納容器９から排出されるトナーをトナー補給装置１７のトナー受入れ口と接続して受け渡すトナー排出接続口が形成されている。
【００４２】
一方、入口枠部５４は、例えば、筐体１０の内装パネル１０ｃの一部として一体に形成されている（図５）。また、入口枠部５４には、後述する開閉カバー（６０）を閉じた状態にしたときに格納する正方形状の窪み部が形成されている。さらに、入口枠部５４には、入口５３の貫通孔における周囲の一部に、現像剤収納容器９における本体部８１の外周面から突出した状態で存在するスライドシャッター９３、管理メモリ素子９４及び位置固定突起９５の通過を許可する通過窪み部５６ａ，５６ｂ、５６ｃが所要の対応する位置にそれぞれ形成されている。
【００４３】
また、収容装置５は、図４から図７等に示されるように、収容本体５０に回動自在に取り付けられる一端部６０ａを支点として揺動させて、収容本体５０の収容空間５１の入口５３を開放状態及び閉塞状態にする蓋体の一例である開閉カバー６０を備えている。
【００４４】
実施の形態１における開閉カバー６０は、収容本体５０の収容空間５１の入口５３よりも広い面積を有し、全体形状がほぼ正方形状からなる板状の部材で構成されている。また、開閉カバー６０は、その下端部６０ａの左右両側部に、装置本体６０に回動自在に取り付ける取りけるための突出した形態の支持軸６１がそれぞれ設けられている。さらに、開閉カバー６０は、その表面の上端部６０ｂの片側角部に、表面手前側に隆起するように湾曲変形させた形状からなり、使用者の指先を引っ掛ける部位となる取っ手部６２が形成されている。ちなみに、内装パネル１０ｃのうち開閉カバー６０の取っ手部６２と向き合う端部には、取っ手部６２の隆起する方向とは反対側に窪むように変形させた形状からなり、その取っ手部６２への使用者の指先を引っ掛ける動作を補助するための部位となる窪み部１６を形成している。
【００４５】
この開閉カバー６０は、その支持軸６１を、収容本体５０の入口枠部５４の下端部の左右両側に設けた軸取付け孔５５に回転自在に嵌め入れて取り付けることにより、その下端部６０ａの支持軸６１を支点として矢印Ｃ１，Ｃ２で示す方向に揺動させることができる。このため、開閉カバー６０は、その上端部６０ｂ（開けるときには取っ手部６２）に触れて揺動操作することにより収容空間５１の入口５３を開放させた開放状態にするか、又はその入口５３を塞いだ閉塞状態にするようになっている。
【００４６】
さらに、収容装置５は、図５から図７等に示されるように、開閉カバー６０を前記閉塞状態にしたときに収容本体５０（実際には入口枠体５２）に対して固定する固定機構７０を備えている。
【００４７】
実施の形態１における固定機構７０は、開閉カバー６０に突出するように延びた状態で形成される屈曲部としての引っ掛け曲げ部７１と収容本体５０に形成される保持部としての引っ掛け受け部７２とを有して構成されており、開閉カバー６０の揺動操作により開閉カバー６０を収容本体５０に対して固定状態（及び固定解除状態）にするようになっている。また、この固定機構７０は、より詳しくは、開閉カバー６０の裏面の上端部に断面形状がＬ字状の引っ掛け曲げ部７１を形成する一方で、収容本体５０の入口枠部５４の入口５３を除く上端部のうち引っ掛け曲げ部７１と向かい合う部位に引っ掛け曲げ部７１が重なり合って引っ掛けられる形状の引っ掛け受け部７２を形成している。引っ掛け曲げ部７１は、全体が上面を開放した箱状の形状で形成しており、開閉カバー６０の裏面と平行する１つの側面部を引っ掛け面部７３として構成している。また、引っ掛け受け部７２は、入口枠部５４のうち開閉カバー６０が閉じた状態になるときに引っ掛け曲げ部７１と向き合い部位に、引っ掛け曲げ部７１が侵入する長方形状の開口部を設け、その開口部の上辺部に重力方向下方側にむいて突出する引っ掛け受け面部７４を設けて構成されている。
【００４８】
この固定機構７０における引っ掛け曲げ部７１と引っ掛け受け部７２は、開閉カバー６０を閉じたときに、その引っ掛け曲げ部７１の引っ掛け面部７３と引っ掛け受け部７２の引っ掛け受け面部７４とが所要の寸法（引っ掛け量α１：図１１ａ）で（厳密には面積で）重複して接触し合うことで引っ掛かった状態になるよう設定されている。図５等における符号７５は、開閉カバー６０を閉じる際に、固定機構７０の引っ掛け曲げ部７１と引っ掛け受け部７２との引っ掛かり状態を維持する位置で開閉カバー６０を停止させて規制するための規制突起である。
【００４９】
＜収容装置の基本的な動作＞
以下、収容装置５の使用状態や動作等について説明する。
【００５０】
初めに、収容装置５に現像剤収納容器９を収容するときは、図４や図５等に示されるように、開閉カバー６０をその取っ手部６２に手をかけた状態で支持軸６１を支点にして矢印Ｃ２で示す方向に揺動させることにより、収容本体５０の収容空間５１（入口枠部５４）の入口５３を開放した状態にする。しかる後、現像剤収納容器９を、その開放された入口５３から収容空間５１の内部奥側にむけて矢印Ｄ１で示す方向に押し込む。これにより、現像剤収納容器９は、図６や図７等に示されるように、その全体（本体部６１及び蓋部６２）が収容本体５０の収容空間５１の所要の収容位置まで押し込まれて停止する。図７等における符号Ｐ１は、現像剤収納容器９の蓋部９２を基準にしたときの収容停止位置（第１の位置）を示す。
【００５１】
この際、現像剤収納容器９を収容本体５０の収容空間５１に押し込んだ直後の段階では、図８ａに示されるように、現像剤収納容器９の本体部９１にある位置固定突起９５が収容本体５０の入口枠部５４に形成した通過窪み５６ｃと一致した位置にある。このときの現像剤収納容器９は、収容本体５０の収容空間５１に対して位置が固定されていない状態（非固定の状態）にある。この非固定の状態にあるときの現像剤収納容器９は、その蓋部９２の把持突起９６を掴んで矢印Ｄ２で示す方向に引き出す操作により、収容本体５０の収容空間５１から引き出すことができる。
【００５２】
一方、現像剤収納容器９は、収容本体５０の収容空間５１に押し込んだ後に、使用者が把持突起９６を掴んで現像剤収納容器９の全体を収容空間５１のなかで矢印Ｅ１の方向に回転させると、図８ｂに示すように、位置固定突起９５が通過窪み５６ｃとずれた位置関係になる。この結果、現像剤収納容器９は、収容本体５０の収容空間５１に対して位置が固定された状態（固定状態）になる。ちなみに、現像剤収納容器９を固定状態にする方向Ｅ１に回転させると、スライドシャター９３が回転する収容本体５０と相対的に移動して（実際には通過窪み５６ａを通過した位置で停止した状態で）本体部９１の排出口９０ｂを開放してトナー補給装置と接続した状態になり、また、管理メモリ素子９４が筐体１０の内部に配置されている図示しないメモリ読み書き装置（ヘッド部）と向き合った状態になる。
【００５３】
続いて、収容装置５では、通常、現像剤収納容器９を収容本体５０の収容空間５１に対して固定状態にした後、図９及び図１０に示されるように、支持軸６１を支点として開閉カバー６０を矢印Ｃ１で示す方向に揺動させることにより、収容本体５０の入口枠部５４における入口５３を閉塞した状態にする。
【００５４】
この際、開閉カバー６０は、最終的に図９に示すように、その上端部６０ｂの裏面が入口枠部５４に設けられた規制突起７５に突き当たることで閉じる操作が停止させられるが、その規制突起７５に突き当たる前に、図１０から図１２等に示すように、その上端部６０ｂにある固定機構７０の引っ掛け曲げ部７１が収容本体５０の入口枠部５４にある固定機構７０の引っ掛け受け部７２に引っ掛かった状態になる。
【００５５】
すなわち、図１１ａや図１２ａに拡大して示すように、開閉カバー６０の引っ掛け曲げ部７１における引っ掛け面部７３が、入口枠部５４の引っ掛け受け部７２における引っ掛け受け面部７４の裏面側に一時的な弾性変形を経て滑りこむように侵入し、引っ掛け受け面部７４の裏面に所要の面積だけ重複して接触した状態になる。この重複して接触する部分（面積）が、引っ掛け曲げ部７１の引っ掛け受け部７２に対する引っ掛け量α１となる。ちなみに、引っ掛け面部７３の上端部と引っ掛け受け面部７４の下端部は、互いに平行するテーパー面（傾斜面）が形成されているとともにその各先端部が丸みを帯びた形状にそれぞれ形成されており、これにより引っ掛け面部７３が引っ掛け受け面部７４の裏面側に容易かつスムーズに侵入し、重複して接触した状態（引っ掛けた状態）になりやすくなっている。また、引っ掛け量α１については、例えば引っ掛け曲げ部７１と引っ掛け受け部７２との引っ掛かり状態とその状態を解除した状態にしやすくする観点から、必要最小限の寸法に設定される。
【００５６】
これにより、開閉カバー６０は、図３や図９、図１０等に示されるように、収容本体５０の入口枠部５４に固定された状態になり、現像剤収納容器９が収容された収容空間５１の入口５３を閉塞した状態に保つことになる。この結果、現像剤収納容器９の収容装置５への収容作業が完了する。
【００５７】
次に、収容装置５から現像剤収納容器９を取り出すときは、開閉カバー６０をその取っ手部６２に手をかけた状態で矢印Ｃ２の方向に揺動させることにより、収容本体５０の収容空間５１（入口枠部５４）の入口５３を開放した状態にする（図４、図５等）。
【００５８】
この際、開閉カバー６０の上端部６０ｂにある固定機構７０の引っ掛け曲げ部７１が、収容本体５０の入口枠部５４にある固定機構７０の引っ掛け受け部７２に引っ掛かった状態から解除された状態になる。すなわち、開閉カバー６０の引っ掛け曲げ部７１における引っ掛け面部７３が、入口枠部５４の引っ掛け受け部７２における引っ掛け受け面部７４の裏面側から一時的な弾性変形を経て表面側の位置に抜け出るように脱出し、引っ掛け受け面部７４の裏面と重複して接触した状態から解放される（図７等）。
【００５９】
これにより、開閉カバー６０は、収容本体５０（入口枠部５４）との固定状態から解除された状態（非固定状態）になるとともに、収容空間５１の入口５３を開放した状態になる。また、収容空間５１に収容されている現像剤収納容器９の一部（蓋部９２）が露出した状態になる（図８ｂ等）。
【００６０】
続いて、使用者が把持突起９６を掴んで現像剤収納容器９の全体を収容空間５１のなかで矢印Ｅ２の方向に回転させると、図８ａに示すように、位置固定突起９５が通過窪み５６ｃと一致した位置関係になる。この結果、現像剤収納容器９は、収容本体５０の収容空間５１に対して位置が固定された状態から解除された状態（非固定の状態）になる。
【００６１】
最後に、使用者が現像剤収納容器９を、収容空間５１の内部から開放された入口５３を通して矢印Ｄ２で示す方向に引き出す（図５、図７等）。この結果、現像剤収納容器９の収容装置５からの取り出し作業が完了する。
【００６２】
［収容装置の詳細な構成］
ところで、この収容装置５では、画像形成装置１の出荷時や長い移動搬送時等の時期において、現像剤収納容器９を収容本体５０の収容空間５１に対して非固定の状態（図８ａ）にしたうえで、その移動作業や設置作業を行うことがある。これは、例えば、現像剤収納容器９を収容本体５０の収容空間５１に固定状態（図８ｂ）した場合には、現像剤収納容器９の排出口９０ｂとトナー補給搬送装置１７の取入れ口とが接続された状態になっているため、現像剤収納容器９に収容されているトナーが移動作業時等における振動を受けることにより自然落下するように排出されて、例えば収容装置５の収容空間５１内や画像形成装置１の筐体１０の内部にこぼれて汚染してしまうことを防止するためである。
【００６３】
しかし、その一方で、現像剤収納容器９が収容本体５０の収容空間５１に対して非固定の状態（図８ａ）にあるときに、画像形成装置１が移動作業等において強い衝撃や振動を受けたり、あるいは画像形成装置１（収容装置５を含む）が傾いた状態にされると、収容本体５０の収容空間５１内で固定されていない現像剤収納容器９が本来の収容固定位置Ｐ１から開閉カバー６０に近づいて接触する位置Ｐ２又はＰ３（図１４、図１４：第２の位置）にむけて移動して開閉カバー６０に衝突することがある。この場合、その開閉カバー６０が固定機構７０による固定状態から解除されて開いた状態になり、現像剤収納容器９が収容空間５１から外に飛び出すことがある。つまり、このような現象は、例えば、開閉カバー６０の固定機構７０による固定状態（引っ掛け量α１）が開閉カバー６０の開閉操作の容易性を確保する等の観点から比較的弱い（少ない）設定になっているため、現像剤収納容器９が開閉カバー６０に衝突することで、固定機構７０による固定状態が比較的容易に解除されてしまうことにより発生するものである。
【００６４】
そこで、この収容装置５では、上記した現像剤収納容器９の移動に伴う衝突や傾き保持等の要因により開閉カバー６０が開いて現像剤収納容器９が飛び出してしまうことを防止する観点から、以下の構成を採用している。ただし、この対策としては、開閉カバー６０の開閉操作の容易性を犠牲する構成（例えば固定機構７０の固定状態にするときの強度を高める構成）は採用しないようにしている。
【００６５】
すなわち、収容装置５は、固定機構７０が、現像剤収納容器９が本来の収容固定位置である前記第１の位置Ｐ１から前記第２の位置Ｐ２（Ｐ３）に移動した場合に、現像剤収納容器９が第１の位置Ｐ１に止まっているときよりも開閉カバー６０に対する固定が強まるように構成されている。
【００６６】
この実施の形態１に係る収容装置５では、固定機構７０が、現像剤収納容器９が前記第１の位置Ｐ１から前記第２の位置Ｐ２（Ｐ３）に移動した場合に、現像剤収納容器９が開閉カバー６０の一部に接触することにより固定が強まるように構成されている。つまり、実施の形態１に係る収容装置５では、開閉カバー６０が収容本体５０の収容空間５１の入口５３を閉塞状態としている状態で固定機構７０の開閉カバー６０に対する固定を強まることができる特定の方向（第１方向）に移動可能に構成されており、しかも、固定機構７０が、現像剤収納容器９が前記第１の位置Ｐ１から前記第２の位置Ｐ２（Ｐ３）に移動する際の運動量を、開閉カバー６０の上記特定の方向への移動に必要な運動量へと変換することにより固定が強まるように構成している。
【００６７】
実施の形態１における収容装置５では、具体的に、図５から図７や図９〜図１１等に示されるように、開閉カバー６０を、収容本体５０に対し、収容空間５１の入口５３を閉塞状態にしているときに固定機構７０の引っ掛け受け部７２に対する引っ掛け曲げ部７１の引っ掛け量α（厳密には、引っ掛け曲げ部７１と引っ掛け受け部７２とが対向する領域の面積）が増す方向Ｈに変位し得る状態で取り付けている。これに加えて収容装置５では、開閉カバー６０の裏面に、収容本体５０の収容空間５１で入口５３側に移動するときの現像剤収納容器９の一部と接触するとともに、その接触した後の現像剤収納容器９の入口５３側（又は開閉カバー６０）に近づいて接触する位置への移動に連動して開閉カバー６０を引っ掛け量αが増す方向Ｈに変位させる変位誘発部６５を設けている。
【００６８】
開閉カバー６０の取り付けについては、図６、図７や図９、図１０に示されるように、その下端部に設けた支持軸６１を嵌め入れて取り付ける入口枠部５４に形成した軸取付け孔５５を、上記引っ掛け量αが増す方向Ｈに相対的に長い寸法の長孔で形成することで対応している。また、図９から図１２に示されるように、入口枠部５４の開閉カバー６０を閉じた状態において格納する窪み部位のうち開閉カバー６０の上端部６０ｂにおける端部６０ｂｂと向き合う上端部５４ａを、その端部６０ｂｂが引っ掛け量αが増す方向Ｈに変位しても障害にならない位置に存在するよう形成することで対応している。
【００６９】
このように取り付けられている開閉カバー６０は、図９、図１０に示されるように、入口５３を閉塞した状態にしているときには、自重により、その支持軸６１が長孔の軸取付け孔５５の下端部５５ａ寄りに存在するように位置している。また、このときの開閉カバー６０は、その上端部における端部６０ｂｂが、入口枠部５４の窪み部位における上端部５４ａに対して所要の距離だけ間隔をあけた位置に存在するように保たれる。
【００７０】
変位誘発部６５については、図９、図１０等に示されるように、開閉カバー６０の裏面のうち閉じた状態にしたときに現像剤収納容器９の一部である蓋部９２の把持突起９６と向き合って接触し得る部位に、その把持突起９６に近づく方向（押し込み方向Ｄ１と同じ）に突出した状態の板状部材を設けることで構成されている。また、変位誘発部６５は、現像剤収納容器９の一部である把持突起９６と接触する部位６５ａが、現像剤収納容器９の入口５３側への移動の方向Ｄ３と斜めに交差する傾斜部として形成されている。
【００７１】
ちなみに、変位誘発部６５の傾斜部６５ａは、図９、図１０等に示されるように、現像剤収納容器９が本来の収容停止位置Ｐ１にあるときには、現像剤収納容器９の把持突起９６と所要の距離だけ間隔をあけて向き合うように設定されている。
【００７２】
＜収容装置の詳細な構成による動作＞
次に、この詳細な構成を採用する収容装置５の動作について説明する。
【００７３】
まず、収容装置５では、現像剤収納容器９を収容本体５０の収容空間５１に対して非固定の状態（図８ａ）にしたうえで、開閉カバー６０を閉じて固定機構７０による固定状態に保っているときに、例えば前述した要因により現像剤収納容器９が矢印Ｄ３の方向で示すように入口５３側に移動することがある。
【００７４】
この場合、図１３ａ、図１４ａ等に示されるように、現像剤収納容器９が本来の収容停止位置Ｐ１から開閉カバー６０に少し近づいて接触する位置Ｐ２まで移動すると、その現像剤収納容器９の一部である把持突起９６（の一部）が、開閉カバー６０における変位誘発部６５の傾斜部６５ａの一部と接触する。続いて、その現像剤収納容器９が本来の収容停止位置Ｐ１から開閉カバー６０にさらに近づいて接触し続ける位置Ｐ３まで移動すると、図１３ｂ、図１４ｂ等に示されるように、像剤収納容器９における把持突起９６が開閉カバー６０における変位誘発部６５の傾斜部６５ａを上方に押し上げる状態で進む。
【００７５】
この際、変位誘発部６５は、現像剤収納容器９の入口６３側への移動の方向Ｄ３の直線運動を、その直線運動とほぼ直交する上方の方向（Ｈ）に開閉カバー６０を変位させる直線運動に変換するように作用する。これにより、変位誘発部６５は、図１３ｂ、図１４ｂ等に示されるように、現像剤収納容器９の入口６３側への移動に連動して開閉カバー６０を前記引っ掛け量αが増す方向Ｈに変位させることになる。このとき開閉カバー６０は、その支持軸６１が長孔の軸取付け孔５５における上端部５５ｂ寄りの位置に変位し、また、その上端部の端部６０ｂｂが入口枠部５４における上端部５４ａに接近した位置又は接触する位置まで変位した状態になる。
【００７６】
この結果、図１１ｂや図１２ｂ等に示されるように、開閉カバー６０における固定機構７０の引っ掛け曲げ部７１の引っ掛け面部７３が、入口枠部５４における固定機構７０の引っ掛け受け部７２の引っ掛け受け面部７４と重複して接触する部分（面積）が増えるので、その引っ掛け曲げ部７１の引っ掛け量αが増えた状態になる。実施の形態１では、変位する前の引っ掛け量α１が引っ掛け量α２に増える（α２＞α１）。
【００７７】
したがって、この収容装置５では、固定機構７０の引っ掛け量がα１からα２に増えるので、その増えた分だけ現像剤収納容器９が前記第１の位置Ｐ１に止まっているときよりも開閉カバー６０に対する固定が強まり（固定状態が強固になり）、開閉カバー６０が開きにくい状態になる。換言すれば、収容装置５における固定機構７０は、現像剤収納容器９が前記第１の位置Ｐ１から第２の位置Ｐ２（Ｐ３）に移動する際の運動量を、開閉カバー６０の前記特定の方向Ｈへの移動に必要な運動量へと変換することにより、開閉カバー６０に対する固定が強まることになる。これにより、開閉カバー６０は、固定機構７０による固定状態が維持されて開きにくい状態に保たれる。また現像剤収納容器９は、開閉カバー６０が開いた状態にならないので収容本体５０の収容空間５１から外に飛び出すことが抑制される。
【００７８】
ちなみに、この後に開閉カバー６０を開けるに際しては、使用者が開閉カバー６０を引っ掛け量αが増す方向Ｈと反対の方向に強制的に変位させるか、あるいは現像剤収納容器９が入口５３側（又は開閉カバー６０）から遠ざかる方向に変位させるようにすることで、引っ掛け曲げ部７１の引っ掛け量αを平常時の引っ掛け量α１に戻せばよい。これにより、固定機構７０の開閉カバー６０に対する固定状態が相対的に弱くなるので、開閉カバー６０の開閉動作が容易に行える状態になる。
【００７９】
［実施の形態２］
図１５から図１７は、実施の形態２に係る収容装置（の一部）を示す。図１５はその収容装置における開閉カバー、収容本体の一部等を示し、図１６はその収容装置の開閉カバーを開けたときの状態を示し、図１７はその収容装置の開閉カバーを閉じたときの状態を示している。
【００８０】
実施の形態２に係る収容装置５Ｂは、以下に説明するように開閉カバーの一部及び固定機構を変更した以外は実施の形態１に係る収容装置５と同じ構成からなるものである。図１６等における符号９４は、現像剤収納容器９の本体部９１に収納されているトナーを回転して撹拌する部材であり、その詳細の構成についての図示は省略している。
【００８１】
まず、この収容装置５Ｂにおける開閉カバー６０Ｂは、ほぼ正方形状の板状部材における左右の一方の端部（右端部）６０ｃとなる上下端部に、外側に突出した形態の支持軸６１をそれぞれ設けており、また、その板状部材の表面の上端部６０ｂにおける左側角部に、表面手前側に隆起するように湾曲変形させた形状からなる取っ手部６３を設けている。そして、この開閉カバー６０Ｂは、その支持軸６１を、収容本体５０の入口枠部５４の右端部の上下両側に設けた軸取付け孔５５に回転自在に嵌め入れて取り付けられている。これにより、この開閉カバー６０Ｂは、その右端部６０ｃの支持軸６１を支点として矢印Ｃ３，Ｃ４で示す方向に揺動させることができ、その左端部６０ｄ（開けるときには取っ手部６３）に触れて揺動操作することにより収容本体５０の収容空間５１の入口５３を開放させた開放状態にするか又はその入口５３を塞いだ閉塞状態にするようになっている。
【００８２】
また、この収容装置５Ｂにおける固定機構７０Ｂは、開閉カバー６０Ｂに裏面に突出して延びた状態で形成される屈曲部としての引っ掛け部７６と収容本体５０における収容空間５１の入口５３の一部分に形成される保持部としての引っ掛け受け部７７とを有して構成されており、開閉カバー６０Ｂの揺動操作により開閉カバー６０Ｂを収容本体５０に対して固定状態（及び固定解除状態）にするようになっている。
【００８３】
引っ掛け部７６は、図１６から図１８等に示されるように、開閉カバー６０Ｂの裏面のうち収容空間の入口５３の内側になる位置に、その入口５３の開口枠外側になる位置まで達するよう開閉カバー６０の裏面に対して所要の角度θ（図１８）で斜めに突出して延びた形態で形成され、先端部７８が逆三角形のように拡大した形状で形成されている。一方、引っ掛け受け部７７は、収容本体５０の入口枠部５４における収容空間の入口５３の一部分に、入口５３の開口枠外側でかつ入口枠部５４の裏側になる位置に存在する状態で形成されている。
【００８４】
より詳しく説明すれば、引っ掛け部７６は、図１８等に示されるように、開閉カバー６０の裏面に角度θで斜めに突出した状態で形成される板状の本体部７６ａと、その本体部７６ａの先端（自由端）に逆三角形のように拡大した形状で形成された先端部７８とで構成されている。また、その先端部７８については、以下に詳述する引っ掛け斜面部７８ａ、接触斜面部７８ｂ及び誘導面７８ｃとで構成されている。すなわち、引っ掛け斜面部７８ａは、本体部７６ａの先端側の部分のうち開閉カバー６０の裏面と向き合う側の面部に斜めに隆起するような形態で形成され、引っ掛け受け部７７の裏面側に引っ掛けられる部位である。接触斜面部７８ｂは、本体部７６ａの先端側の部分のうち開閉カバー６０の裏面と向き合わない側の面部に斜めに隆起するような形態で形成され、収容空間内で入口５３側に移動したときの現像剤収納容器９の一部に接触する部位である。誘導面７８ｃは、本体部７８ａの先端を含んで引っ掛け斜面部７８ａ及び接触斜面部７８ｂの先端部にそれぞれ達するまで延びる平面で形成され、引っ掛け受け部７７の裏面側になる位置及びその表面側になる位置にそれぞれ移動するときに引っ掛け受け部７７の一部に接触しながら通過する部位である。
【００８５】
引っ掛け受け部７７は、入口枠部５４における収容空間の入口５３のうち引っ掛け曲げ部７６と向き合う部位に、収容空間５１を形成する壁面部の一部を引っ掛け曲げ部７６の先端部７８が容易に通過し得る程度の大きさ及び形状に切り欠いた開口部７９を形成し、その開口部７９に続く入口枠部５４の裏面部５４ｂを受け部７７として構成したものである。また、引っ掛け受け部７７は、図１６に示されるように、現像剤収納容器９が収容本体５０の収容空間５１内の収容停止位置Ｐ１にあるときに、その現像剤収納容器９の一部（蓋部の一角部９２ａ）と引っ掛け受け部７７の裏面部５４ｂの端部との間に、少なくとも引っ掛け受け部７７の先端部７８が通過することができる寸法の間隙Ｗ１が確保されるように形成されている。
【００８６】
固定機構７０Ｂは、開閉カバー６０の揺動操作により、引っ掛け部７６の先端部７８を引っ掛け受け部７７の開口部７９（間隙Ｗ１を含む）を通過させた後に入口５３の外側でかつ裏面側になる位置（入口枠部５４の裏面部５４ｂ）まで侵入させて引っ掛けた状態にすることにより、開閉カバー６０を収容本体５０（入口枠部５４）に対して固定状態にする（図１７等）。また、固定機構７０Ｂは、引っ掛け部７６の先端部７８を入口５３の外側でかつ裏面側になる位置（入口枠部５４の裏面部５４ｂ）から脱出させて引っ掛けた状態から解除させた状態にすることにより、開閉カバー６０を収容本体５０（入口枠部５４）に対して非固定状態にする（図１５、図１６等）。
【００８７】
また、固定機構７０Ｂにおける引っ掛け部７６と引っ掛け受け部７７は、図１８に示されるように、引っ掛け部７６の先端部７８における引っ掛け斜面部７８ａが引っ掛け受け部７７における裏面部５４ｂと所要の寸法βで（厳密には面積で）重複して接触し合うことで引っ掛かった状態になるよう設定されている。さらに、固定機構７０Ｂでは、開閉カバー６０を揺動操作する際に、引っ掛け部７６の先端部７８における誘導面７８ｃと引っ掛け受け部７７における裏面部５４ｂの端部とが、接触して通過する位置関係になるように設定されている。
【００８８】
以下、この収容装置５Ｂの主な動作等について説明する。
【００８９】
初めに、収容装置５Ｂにおける開閉カバー６０Ｂを閉じて収容本体５０の入口枠部５４における入口５３を閉塞した状態にするときは、支持軸６１を支点として開閉カバー６０Ｂを矢印Ｃ３で示す方向に揺動させる。
【００９０】
この際、図１９に示されるように、開閉カバー６０Ｂの引っ掛け部７６の先端部７８における誘導面７８ｃが、入口枠部５４の引っ掛け受け部７７における裏面部５４ｂの端部と接触し、裏面部５４ｂの端部を通過するまで接触し続ける。このとき引っ掛け部７６は、その誘導面７８ｃが裏面部５４ｂの端部を通過する際に、先端部７８の全体が本体部７６ａに対して開閉カバー６０Ｂの裏面側に近づく方向に屈曲（回転）するような状態で一時的に弾性変形することで、その通過が可能になる。
【００９１】
続いて、引っ掛け部７６の先端部７８における誘導面７８ｃが引っ掛け受け部７７における裏面部５４ｂの端部を通過すると、引っ掛け部７６の先端部７８全体が引っ掛け受け部７７における開口部７９（間隙Ｗ１を含む）を通り抜けた後、その先端部７８における引っ掛け斜面部７８ａが引っ掛け受け部７７における裏面部５４ｂと所要の寸法βで重複して接触し合った状態になり、これにより引っ掛かった状態になる（図１７、図１８）。この結果、開閉カバー６０Ｂが閉じられ、その開閉カバー６０により入口５３が閉塞された状態になる。
【００９２】
また、収容装置５Ｂにおける開閉カバー６０Ｂを開けて収容本体５０の入口枠部５４における入口５３を開放した状態にするときは、支持軸６１を支点として開閉カバー６０Ｂを矢印Ｃ４で示す方向に揺動させる。
【００９３】
この際、図２０に示されるように、開閉カバー６０Ｂの引っ掛け部７６は、その先端部７８における引っ掛け斜面部７８ａが、入口枠部５４の引っ掛け受け部７７における裏面部５４ｂに引っ掛かった状態のままで開閉カバー６０Ｂの支持軸６１を支点とした矢印Ｃ４で示す方向への揺動操作の力を受けて引っ張られる。このとき、引っ掛け部７６の先端部７８が、引っ掛け斜面部７８ａを引っ掛け受け部７７の裏面部５４ｂの端部を支点とした状態で本体部７６ａに対して入口５３の内側になる位置にむけて回転するように弾性変形する。
【００９４】
続いて、引っ掛け部７６の先端部７８における引っ掛け斜面部７８ａが引っ掛け受け部７７における裏面部５４ｂの端部との引っ掛かり状態から外れると、引っ掛け部７６の先端部７８全体が引っ掛け受け部７７における開口部７９を通り抜けて引っ掛け受け部７７の表面側に位置した状態になり、これにより引っ掛かった状態から解除された状態になる（図１６、図２０）。この結果、開閉カバー６０Ｂが開き、その開閉カバー６０により入口５３が開放された状態になる。
【００９５】
次に、この収容装置５Ｂにおいて、現像剤収納容器９を収容本体５０の収容空間５１に対して非固定の状態（図８ａ）にしたうえで、開閉カバー６０Ｂを閉じて固定機構７０による固定状態に保っているときに、図２１等に示されるように、現像剤収納容器９が矢印Ｄ３の方向に示すよう本来の収容停止位置Ｐ１（第１の位置）から開閉カバー６０に近づく位置にむけて移動することがある。
【００９６】
この場合、図２１等に示されるように、現像剤収納容器９が本来の収容停止位置Ｐ１（図１６、図１８）から開閉カバー６０に近づいた位置Ｐ４まで移動すると、その現像剤収納容器９の一部である蓋部９２（の一角部９２ａ）が、開閉カバー６０における引っ掛け部７６の本体部７６ａの一部（現像剤収納容器９と向き合う側の面）に接触する。
【００９７】
この際、引っ掛け部７６は、現像剤収納容器９の開閉カバー６０に近づく側への移動を阻止する障害物として存在する。つまり、このときの引っ掛け部７６は、その先端部７８の引っ掛け斜面部７８ａが引っ掛け受け部７７における裏面部５４ｂの端部と引っ掛かった状態にあるため、その本体部７６ａが現像剤収納容器９の入口５３側への移動方向Ｄ３の先で斜めに交差して横たわった状態で存在することとなり、この状態での存在が上記障害物としての存在になる。またこの際、現像剤収納容器９が開閉カバー６０に近づく側へ移動することにより、現像剤収納容器９の接触する一部（蓋部の一角部９２ａ）と引っ掛け受け部７７における裏面部５４ｂの端部との間に形成されている隙間Ｗは、現像剤収納容器９が本来の収容停止位置Ｐ１にあるときに形成される間隙Ｗ１よりも狭い寸法の間隙Ｗ２（図１９）になり、実際には図２１に例示するように引っ掛け部７６の先端部７８が通過できない寸法の狭い間隙Ｗ２になる。
【００９８】
この結果、図２１に示されるように、開閉カバー６０に近づく側へ移動する現像剤収納容器９は、その開閉カバー６０に近づく側への移動が引っ掛け部７６により阻止されて停止させられた状態になる。また、このとき引っ掛け部７６は、その先端部７８が現像剤収納容器９の接触する一部（蓋部の一角部９２ａ）と引っ掛け受け部７７における裏面部５４ｂの端部との間に形成される隙間（Ｗ２）を通過できない状態になるので、引っ掛け受け部７７における裏面部５４ｂの端部に引っ掛かった状態のまま保たれる。
【００９９】
したがって、この収容装置５Ｂにおいては、固定機構７０Ｂの引っ掛け部７６が、引っ掛け受け部７７における裏面部５４ｂの端部に引っ掛かった状態で現像剤収納容器９の入口５３側への移動を阻止する。換言すれば、収容装置５における固定機構７０Ｂは、現像剤収納容器９が前記第１の位置Ｐ１から第２の位置Ｐ４への移動により、現像剤収納容器９が引っ掛け受け部７７における裏面部５４ｂの端部との間で形成する間隙Ｗ１の一部を塞ぐ（平常時の間隙Ｗ１を狭める）ことにより、現像剤収納容器９が前記第１の位置Ｐ１に止まっているときよりも開閉カバー６０に対する固定が強まることになる。これにより、開閉カバー６０Ｂは、固定機構７０Ｂによる固定状態が維持されて開きにくい状態に保たれる。また現像剤収納容器９は、開閉カバー６０Ｂが開いた状態にならないので収容空間５１から外に飛び出すことが抑制される。
【０１００】
ちなみに、この後に開閉カバー６０Ｂを開けるに際しては、使用者が開閉カバー６０Ｂを矢印Ｃ４で示す開ける方向に揺動させる操作をすればよい。
【０１０１】
このとき、開閉カバー６０Ｂを開ける方向Ｃ４に揺動させると、図２２に示されるように、開閉カバー６０Ｂの矢印Ｃ４で示す方向の揺動による力Ｆ１が固定機構７０Ｂの引っ掛け部７６に伝わる。これにより、引っ掛け部７６では、その引っ掛け面部７８ａが引っ掛け受け部７７における裏面部５４ｂの端部に引っ掛けられてほぼ固定された状態にあるなかで、本体部７６ａが揺動による力Ｆ１を受けて直線状に伸ばされた状態になって現像剤収納容器９の蓋部９２の外周面９２ａに力Ｆ２を及ぼすことになる。この力Ｆ２は、現像剤収納容器９の移動可能な方向Ｄと交差する斜めに後方側にむく方向の力であるため、その移動可能な方向Ｄに沿う方向に向く第１分力Ｆ２ａと、その移動可能な方向Ｄと直交する方向に向く第２分力Ｆ２ｂとに分解される。このうち第２分力Ｆ２ｂは、現像剤収納容器９が収容空間５１内でほぼガイドされて動き難い方向に向く力になるため相殺されてしまうが、残りの第１分力Ｆ２ａは、現像剤収納容器９の移動可能な方向Ｄに沿う方向の力になるため現像剤収納容器９を本来の収容停止位置Ｐ１にむかう方向Ｄ４に押し戻す力として機能する。また、このときの引っ掛け部７６の本体部７６ａによる押し戻す力（第１分力Ｆ２ａ）は、その本体部７６ａが現像剤収納容器９の移動により撓む状態になっているほど強くなる。これにより、現像剤収納容器９は、引っ掛け部７６の本体部７６ａによる押し戻す力（第１分力Ｆ２ａ）を受けることで、本来の収容停止位置Ｐ１に戻るように矢印Ｄ４で示す方向に少し押し戻される。
【０１０２】
続いて、開閉カバー６０Ｂを開ける方向Ｃ４にさらに揺動させると、図２３に示されるように、引っ掛け部７６の先端部７８が現像剤収納容器９の蓋部９２の外周面に接近する方向に回転するよう弾性変形した状態になる。そして、この状態から開閉カバー６０Ｂを開ける方向にさらに揺動させると、引っ掛け部７６の先端部７８における接触斜面部７８ｂが現像剤収納容器９の蓋部９２の外周面９２ａに接触しながら、引っ掛け受け部７７の裏面部５４ｂの端部と現像剤収納容器９の蓋部９２の角部９２ａとの間に形成される間隙Ｗを狭い関係Ｗ２から押し広げるように進むが、この接触斜面部７８ｂの移動が現像剤収納容器９を本来の収容停止位置Ｐ１にむかう方向Ｄ４に押し戻す力として新たに機能する。この際、引っ掛け部７６は、その先端部７８が引っ掛け受け部７７における裏面部５４ｂに引っ掛かった状態で開閉カバー６０Ｂの開ける方向Ｃ４への揺動操作により斜めに引っ張られる力を受けるので、その本体部７６ａの開閉カバー６０Ｂの裏面とのなす角度θ２が平常時の角度θよりも大きくなる（θ２＞θ）。
【０１０３】
この結果、開閉カバー６０Ｂに近づいて接触した位置Ｐ４（第２の位置）で停止していた現像剤収納容器９は、引っ掛け部７６からの押し戻す力を受けて、開閉カバー６０Ｂから離れる方向Ｄ４に変位させられる。このようにして現像剤収納容器９は、本来の収容停止位置Ｐ１に近づく位置Ｐ５まで戻されることになる。また、この現像剤収納容器９の押しも出される変位により、その現像剤収納容器９の接触する一部（蓋部の一角部９２ａ）と引っ掛け受け部７７における裏面部５４ｂの端部との間に形成される間隙Ｗは、引っ掛け部７６の先端部７８が最低限通過することができる程度の間隔Ｗｎ（Ｗ２＜Ｗｎ≦Ｗ１）に広げられた状態になる（図２３）。
【０１０４】
以上により、開閉カバー６０Ｂは、図２４に示すように、その引っ掛け部７６における先端部７８が、引っ掛け受け部７７における裏面部５４ｂの端部と現像剤収納容器９の接触する一部（蓋部の一角部９２ａ）との間の間隙Ｗｎを通り抜けてその裏面部５４ｂとの引っ掛け状態から解除された状態になるので、その後は開ける方向Ｃ４にスムーズに揺動させて開けた状態にすることができる。なお、この開閉カバー６０Ｂを開けたときには、現像剤収納容器９は前述した少し押し戻された位置Ｐ５に止まっている。
【０１０５】
［他の実施の形態］
実施の形態１における収容装置５では、図２５に例示するように、現像剤収納容器９の蓋部９２にその現像剤収納容器９の収容空間の入口５３側への移動方向Ｄ３と斜めに交差する傾斜面部９２ｃを形成している場合、開閉カバー６０の裏面に設けた変位誘発部６５に代えて、以下の変位誘発部６６を設けるようにしてもよい。
【０１０６】
すなわち、図２５に例示する変位誘発部６６は、現像剤収納容器９の蓋部９２における傾斜面部９２ｃと接触し、その接触した後の現像剤収納容器９の入口５３側への移動に連動して開閉カバー６０を前記引っ掛け量αが増す方向Ｈに変位させるものである。蓋部９２における傾斜面部９２ｃは、現像剤収納容器９の入口５３側への移動方向Ｄ３の上流側になるほど上方の位置になる傾斜部である。変位誘発部６６は、例えば矩形状の板材であり、その先端部の下部６６ａを現像剤収納容器９の蓋部９２の傾斜面部９２ｃに接触させるようにしている。
【０１０７】
この変位誘発部６６を設けた開閉カバー６０を備えた収容装置５では、現像剤収納容器９が入口５３側へ移動したときには、図２６ａに示されるように、現像剤収納容器９が本来の収容停止位置Ｐ１から開閉カバー６０に近づいて接触する位置（Ｐ２）まで移動すると、その現像剤収納容器９の一部である蓋部９２の傾斜面部９２ｃ（の一部）が、開閉カバー６０における変位誘発部６６の先端下部６６ａと接触する。続いて、その現像剤収納容器９が本来の収容停止位置Ｐ１から開閉カバー６０にさらに近づいて接触する位置（Ｐ３）まで移動すると、図２６ｂに示されるように、像剤収納容器９における蓋部９２の傾斜面部９２ｃが開閉カバー６０における変位誘発部６６の先端下部６６ａを上方に押し上げる状態で進む。
【０１０８】
この際、変位誘発部６６は、現像剤収納容器９の入口６３側への移動の方向Ｄ３の直線運動を、その直線運動とほぼ直交する上方の方向（Ｈ）に開閉カバー６０を変位させる直線運動に変換するように作用する。これにより、変位誘発部６６は、図２６ｂ等に示されるように、現像剤収納容器９の入口６３側への移動に連動して開閉カバー６０を前記引っ掛け量αが増す方向Ｈに変位させることになる。この結果、図１１ｂ等に示されるように、開閉カバー６０における固定機構７０の引っ掛け曲げ部７１の引っ掛け面部７３が、入口枠部５４における固定機構７０の引っ掛け受け部７２の引っ掛け受け面部７４と重複して接触する部分（面積）が増えるので、その引っ掛け曲げ部７１の引っ掛け量αが増えた状態になる。これにより、固定機構７０は、現像剤収納容器９が前記第１の位置Ｐ１から第２の位置Ｐ２（Ｐ３）に移動すると、現像剤収納容器９が前記第１の位置Ｐ１に止まっているときよりも開閉カバー６０に対する固定が強まることになる。
【０１０９】
ちなみに、この後に開閉カバー６０を開けるに際しては、使用者が開閉カバー６０を引っ掛け量αが増す方向Ｈと反対の方向に強制的に変位させるか、あるいは現像剤収納容器９が開閉カバー６０側から遠ざかる方向に変位させるように傾けることで、引っ掛け曲げ部７１の引っ掛け量αを平常時の引っ掛け量α１に戻せばよい。これにより、固定機構７０の固定状態が相対的に弱くなるので、開閉カバー６０の開閉動作が容易に行える状態になる。
【０１１０】
また、実施の形態１における収容装置５では、開閉カバー６０に設ける変位誘発部６５として傾斜部６５ａを有する変位誘発部６５を採用し、しかも、その変位誘発部６５における変位誘発部６５の傾斜部６５ａと接触し得る現像剤収納容器９の蓋部９２の部分として上記したような傾斜面部９２ｃを採用することも可能である。この場合は、現像剤収納容器９が開閉カバー６０に近づいて接触する位置Ｐ２（Ｐ３）側に移動したとき、その現像剤収納容器９の蓋部９２における傾斜面部９２ｃと開閉カバー６０における変位誘発部６５の傾斜部６５ａとが接触し、その現像剤収納容器９の開閉カバー６０に近づいて接触する位置Ｐ２（Ｐ３）への移動に連動して変位誘発部６５が開閉カバー６０を前記引っ掛け量αが増す方向Ｈに変位させることになる。さらに、変位誘発部６５については、開閉カバー６０の内側面を傾斜部６５ａが存在する形状に成形したものであってもよい。
【０１１１】
実施の形態２では、固定機構７０Ｂにおける引っ掛け部７６の設ける位置や設ける数を変更することができる。引っ掛け部７６の設ける位置については、開口５３の一部であれば特に制約されない。引っ掛け部７６の設ける位置については、例えば開閉カバー６０Ｂを閉じて固定機構７０Ｂによる固定状態を安定させる観点からは、開閉カバー６０Ｂの支持軸６１を設ける一端部（６０ｃ）とは反対側の端部の部位（周辺）に設けることが好ましい。また、引っ掛け部７６の設ける数についても、単数でもあっても複数であってもよい。なお、固定機構７０Ｂにおける引っ掛け受け部７７の設ける位置や設ける数については、引っ掛け部７６の設ける位置や設ける数に対応して設定すればよい。
【０１１２】
また、実施の形態２では、固定機構７０Ｂにおける引っ掛け部７６及び引っ掛け受け部７７を設ける対象物を変更してもよい。例えば、その引っ掛け部７６を収容本体５０における収容空間５１の一部に設け、その引っ掛け受け部７７を開閉カバー６０Ｂに裏面に設けるよう構成しても構わない。
【０１１３】
この他、実施の形態１、２では、収容装置５（５Ｂ）として現像剤収納容器９を収容する装置を例示したが、現像剤収納容器９以外の被収容構造物を収容する収容装置としてもよい。現像剤収納容器９以外の被収容構造物としては、例えば、像保持体を含むユニット類や、記録用紙等の記録媒体の収容部や、機構部材を搭載したドロワー等が挙げられる。また、収容装置５（５Ｂ）は、開閉カバー６０（６０Ｂ）として、収容本体５０に設ける支持軸を嵌め入れて取り付ける構造のものを備えたものであっても構わない。また、収容装置についても、画像形成装置に装備される収容装置以外に、例えば、内部に物品を収容した状態で運搬する机のひきだし（抽斗）や、交換部品を収容する種々の機器であってもよい。さらに、収容装置５（５Ｂ）を用いる画像形成装置１についても、現像剤による画像を形成するものであれば、他の形式や構造の画像形成装置であってもよい。
【符号の説明】
【０１１４】
１  …画像形成装置
５、５Ｂ…収容装置
９  …現像剤収容容器（構造物の一例）
５０…収容本体（筐体の一例）
５１…収容空間
５３…入口
６０，６０Ｂ…開閉カバー（蓋体の一例）
６５ａ…傾斜部（傾斜面の一例）
７０，７０Ｂ…固定機構
７１…引っ掛け曲げ部（屈曲部）
７２…引っ掛け受け部（保持部）
７６…引っ掛け部（屈曲部）
７７…引っ掛け受け部（保持部）
９２ｃ…蓋部における傾斜部（傾斜面の一例）
α  …引っ掛け量（引っ掛け曲げ部と引っ掛け受け部とが対向する領域の面積）
Ｐ１…収容停止位置（第１の位置）
Ｐ２，Ｐ３…開閉カバーに近づいて接触する位置（第２の位置）
Ｄ３…現像剤収容容器の開閉カバー側への移動方向（第１の位置から第２の位置に移動するときの方向）
Ｈ  …引っ掛け量が増す方向（第１方向）
Ｗ  …現像剤収容容器の一部と固定機構の引っ掛かり受け部との間の間隙（空間）
【図１】
2014085388.tif 000003
【図２】
2014085388.tif 000004
【図３】
2014085388.tif 000005
【図４】
2014085388.tif 000006
【図５】
2014085388.tif 000007
【図６】
2014085388.tif 000008
【図７】
2014085388.tif 000009
【図８】
2014085388.tif 000010
【図９】
2014085388.tif 000011
【図１０】
2014085388.tif 000012
【図１１】
2014085388.tif 000013
【図１２】
2014085388.tif 000014
【図１３】
2014085388.tif 000015
【図１４】
2014085388.tif 000016
【図１５】
2014085388.tif 000017
【図１６】
2014085388.tif 000018
【図１７】
2014085388.tif 000019
【図１８】
2014085388.tif 000020
【図１９】
2014085388.tif 000021
【図２０】
2014085388.tif 000022
【図２１】
2014085388.tif 000023
【図２２】
2014085388.tif 000024
【図２３】
2014085388.tif 000025
【図２４】
2014085388.tif 000026
【図２５】
2014085388.tif 000027
【図２６】
2014085388.tif 000028